(57)【要約】【課題】低コストでありながら、見栄えを損なうことなく、かつ機能部を収納する内部空間を広く開放してメンテナンスすることのできるエントランス用備品を提供すること。【解決手段】所定の用途に用いられる機能部を収納する収納空間を有する筒状枠体を備えたエントランスホール用備品であって、筒状枠体は、盤状の底板と、この底板から立設された一対の枠柱と、これら枠柱の上端に取り付けられた環状枠材と、底板と環状枠材との間に形成される周壁を形成するために、枠柱に着脱自在に取り付けられる周壁形成用シート体と、を備えることを特徴とする。【選択図】図１
2009264632.tif 000002
【特許請求の範囲】
【請求項１】
所定の用途に用いられる機能部を収納する収納空間を有する筒状枠体を備えたエントランスホール用備品であって、
前記筒状枠体は、
盤状の底板と、
この底板から立設された一対の枠柱と、
これら枠柱の上端に取り付けられた環状枠材と、
前記底板と前記環状枠材との間に形成される周壁を形成するために、前記枠柱に着脱自在に取り付けられる周壁形成用シート体と、
を備えることを特徴とするエントランスホール用備品。
【請求項２】
前記周壁形成用シートは、前記一対の枠柱間に左右の縁部を連結可能とした可撓性を有する一対のシートからなり、少なくとも一方のシートは、一端縁に前記枠柱に係脱自在とした係合部を有し、この係合部を介して開閉自在としたことを特徴とする請求項１記載のエントランスホール用備品。
【請求項３】
前記枠柱は内側凹部を有する横断面視略コ字状に形成されており、前記内側凹部内に、前記周壁形成用シートに形成した連結孔に挿通して連結するピン体を突設したことを特徴とする請求項１又は２に記載のエントランスホール用備品。
【請求項４】
前記周壁形成用シート体に、広告用デザインを施したことを特徴とする請求項１〜３のいずれか１項に記載のエントランスホール用備品。
【請求項５】
前記機能部は、前記環状枠材に取り付けられ傘の雨滴除去具と、前記底板に載置される水滴受容器とを具備することを特徴とする請求項１〜４のいずれか１項に記載のエントランスホール用備品。
【発明の詳細な説明】
【技術分野】
【０００１】
本発明は、所定の用途に用いる機能部を収納する収納空間を有する筒状枠体を備えたエントランスホール用備品に関し、より詳しくは、機能部として、例えば傘の雨滴除去具や灰皿などを収納することができるエントランスホール用備品に関するものである。
【背景技術】
【０００２】
従来、エントランスホールには、灰皿やゴミ箱、あるいは両者を兼用したもの、さらには雨傘などの水滴を除去するための傘の水滴除去装置などの備品が設置されることが多い（例えば、特許文献１を参照）。
【０００３】
これらのエントランス用備品は、通常、円筒状や角筒状の筒状枠体を備えており、例えば、傘の水滴除去装置の場合、筒状枠体の上部に、傘を挿通することによって傘布表面に付着した雨滴を拭い去る水滴除去具を配設する一方、筒状枠体の下部には水滴受用の桶体を載置している。
【０００４】
また、傘の水滴除去装置であれば、前記桶体内の水を捨てるために桶体は筒状枠体から容易に取り出せるようにする必要があるため、通常、床面と筒状枠体の周壁の下端縁との間には、桶体を取り出すための空間を設けている。
【０００５】
他方、エントランスホール用備品がゴミ箱や灰皿などの場合、通常は筒状枠体の上部から灰皿本体を取り出したり、あるいは内部に収納されたゴミなどを排出したりするようにしている。
【特許文献１】特開２００７−００３１７６号公報
【発明の開示】
【発明が解決しようとする課題】
【０００６】
しかし、筒状枠体の周壁の下端縁と床面との間に空間が形成されていると、桶体が外から見えるために美観を損ない易い。
【０００７】
また、それを防止するためには、単なる水受けにすぎない桶体までコストをかけてエントランスホールとマッチングしたデザインにしなければならないなど、コスト面に問題が生じてしまう。
【０００８】
また、例えば、ごみ箱であると、筒状枠体の上部からゴミを出すとなると枠体ごと抱え上げなければならないなど、係員の負担が増してしまう。
【０００９】
さらに、例えば商業施設では、エントランスホールなどにおいて、様々な広告を掲示したり、あるいは液晶表示装置などで表示したりして、施設の広報や広告収入が得られるようにすることが多く、近年では、さらなる広告収入源となる媒体が求められている。
【００１０】
そこで、上述したエントランス用備品に注目し、特に、筒状枠体を備える備品などでは枠体の周壁部分を有効利用できると考えられたが、周壁に直接文字や図柄などを描くと、短期的な掲示であれば頻繁な描き直しや周壁の取り換えが必要となり、コスト高になってしまう。
【００１１】
また、ポスター類などを貼付することも考えられるが、剥がれたりすると見苦しくなって逆効果になってしまう。
【００１２】
また、上述した傘の水滴除去装置のように、周壁の下端と床面との間に空間があると、周壁の面積が小さくなって大胆な広告が難しい。
【００１３】
本発明では、上記課題を解決することのできるエントランスホール用備品を提供することを目的としている。
【課題を解決するための手段】
【００１４】
（１）本発明では、所定の用途に用いられる機能部を収納する収納空間を有する筒状枠体を備えたエントランスホール用備品であって、前記筒状枠体は、盤状の底板と、この底板から立設された一対の枠柱と、これら枠柱の上端に取り付けられた環状枠材と、前記底板と前記環状枠材との間に形成される周壁を形成するために、前記枠柱に着脱自在に取り付けられる周壁形成用シート体とを備えるエントランスホール用備品とした。
【００１５】
（２）本発明は、上記（１）において、前記周壁形成用シートは、前記一対の枠柱間に左右の縁部を連結可能とした可撓性を有する一対のシートからなり、少なくとも一方のシートは、一端縁に前記枠柱に係脱自在とした係合部を有し、この係合部を介して開閉自在としたことを特徴とする。
【００１６】
（３）本発明は、上記（１）又は（２）において、前記枠柱は内側凹部を有する横断面視略コ字状に形成されており、前記内側凹部内に、前記周壁形成用シートに形成した連結孔に挿通して連結するピン体を突設したことを特徴とする。
【００１７】
（４）本発明は、上記（１）〜（３）のいずれかにおいて、前記周壁形成用シート体に、広告用デザインを施したことを特徴とする。
【００１８】
（５）本発明は、上記（１）〜（４）のいずれかにおいて、前記機能部は、前記環状枠材に取り付けられ傘の雨滴除去具と、前記底板に載置される水滴受容器とを具備することを特徴とする。
【発明の効果】
【００１９】
本発明によれば、低コストでありながら、見栄えを損なうことなく、かつ機能部を収納する内部空間を広く開放してメンテナンスすることのできるエントランス用備品を提供することができる。
【発明を実施するための最良の形態】
【００２０】
本実施形態に係るエントランスホール用備品は、所定の用途に用いられる機能部を収納する収納空間を有する筒状枠体を備えており、前記筒状枠体は、盤状の底板と、この底板から立設された一対の枠柱と、これら枠柱の上端に取り付けられた環状枠材と、前記底板と前記環状枠材との間に形成される周壁を形成するために、前記枠柱に着脱自在に取り付けられる周壁形成用シート体とを備えたものである。
【００２１】
すなわち、商業施設などのエントランスホールに用いられる所定高さの筒状の備品であり、灰皿、ゴミ箱などがある。また、雨天時に雨傘の布に付着した水滴が施設内に傘から滴り落ちないように、出入口に設置され、傘を上部から差し込むだけで布表面の雨滴を拭い去るようにした傘の雨滴除去装置などにも好適に用いられる。
【００２２】
かかる構成により、簡便に着脱できる周壁形成用シート（以下、単にシートという場合がある）を利用して、例えば広告媒体としての新たな利用の可能性が広がる。例えば広告用デザインを予め印刷した周壁形成用シートとすれば、備品としての美観を損なうことなく、かついつでも広告内容を入れ替えることができる。こうして、商業施設であれば、エントランスホールにおける利用客のサービス向上が図れるとともに、新たな収入源が得られるという効果が生起される。
【００２３】
このとき、前記周壁形成用シートは、前記一対の枠柱間に左右の縁部を連結可能とした可撓性を有する一対のシートからなり、少なくとも一方のシートは、一端縁に前記枠柱に係脱自在とした係合部を有し、この係合部を介して開閉自在とすることが好ましい。
【００２４】
すなわち、２本の枠体とすることで、広告に利用可能な周壁面の露出面積を可及的に広げることができるとともに、２種類の広告を同時に掲示することも可能であり、しかも、開放した場合は、筒状枠体の内部の収納空間を広い面積で開放することができる。なお、一方のシートを開放する際には、シートが可撓性を有するために、僅かに押すだけで変形して係合部が枠柱から離脱するため、開放操作が容易である。
【００２５】
このように、本実施形態に係るエントランス用備品は、例えば収納空間内に収納したごみ箱本体部分や、傘の雨滴除去装置であれば水滴受け用の桶などの交換やメンテナンスを簡単に行うことができる。
【００２６】
ところで、前記枠柱は、内側凹部を有する横断面視略コ字状に形成されており、前記内側凹部内に、前記周壁形成用シートに形成した連結孔に挿通して連結するピン体を突設した構成とすることができる。
【００２７】
かかる構成は極めて簡単であり、開放自在ではない第１の周壁形成用シート（以下、第１のシートという場合がある）を先に取付けて、これに重ねるように開放自在とした第２の周壁形成用シート（以下、第１のシートという場合がある）を取り付けることで、周壁形成用シートの着脱が容易であり、しかも、第１のシートを係止した状態で第２のシートの開閉動作も極めて容易となる。なお、しかも、枠柱の内側凹部に突設するピン体は、その長さを少なくとも枠柱の側壁幅よりも短くしておくことが望ましく、周壁形成用シートに形成した連結孔をピン体に挿通したときに、枠柱の側壁で押圧される状態とすることで周壁形成用シートがしっかりと保持される。
【００２８】
以下、添付図面を参照しながら、本実施形態に係るエントランス用備品について、より具体的に説明する。なお、以下に説明するエントランス用備品は、傘の雨滴除去装置として説明する。
【００２９】
図１は、本実施形態に係るエントランス用備品としての傘の雨滴除去装置の全体構成を示す斜視図であり、図２は、図１に示す傘の雨滴除去装置の分解斜視図である。
【００３０】
本実施形態に係る傘の雨滴除去装置１は、雨天時に雨傘の布に付着した水滴が施設内に傘から滴り落ちないように、施設の出入口等に設置され、傘を上部から差し込むだけで布表面の雨滴を拭い去るようにしたものであり、この雨滴除去装置１は、図１及び図２に示すように、雨傘などの水滴を除去する機能を有する機能部１０と、機能部１０を収納する収納空間２１を有する筒状枠体２０とを備えている。
【００３１】
筒状枠体２０は、円盤状の底板２２と、この底板２２から立設された一対の枠柱２３，２３と、これら枠柱２３，２３の上端に取り付けられた環状枠材２４と、底板２２と環状枠材２４との間に形成される周壁を形成するために、枠柱２３に着脱自在に取り付けられる周壁形成用シート体２５とを備えている。
【００３２】
周壁形成用シート体２５は、塩化ビニルなどの可撓性を有する樹脂フィルムにより形成されており、枠柱２３に装着された状態で、機能部１０を収納する収納空間２１を外部から視認できないように囲繞する。
【００３３】
特に、本実施形態では、周壁形成用シート体２５の外表面、すなわち、周壁形成用シート体２５の収納空間２１と反対側の表面に、広告用デザイン（図示せず）を施している。なお、広告用デザインの施し方としては、周壁形成用シート体２５の外表面にビラ等を貼付する方法や、周壁形成用シート体２５の外表面に予め印刷する方法など各種方法を採用することができる。
【００３４】
このように、広告用デザインを施した周壁形成用シート体２５を、枠柱２３に対して簡単に着脱できるようにしているため、傘の雨滴除去装置１自体を新たな広告媒体として活用することができ、また、備品としての美観を損なうことなく、いつでも広告内容を入れ替えることができる。
【００３５】
機能部１０は、環状枠材２４に取り付けられた傘の雨滴除去具１１と、底板２２に載置される水滴受容器１２とを具備している。
【００３６】
雨滴除去具１１は、傘の布を放射状に包む吸水性の水滴除去体１３を有し、水滴除去体１３を傘の布に密着させて、上下に往復される傘に付着した水滴を拭い去り落下させる。
【００３７】
水滴受容器１２は、外観視で桶状を形成しており、雨滴除去具１１によって拭われ収納空間２１を滴下する水滴を受けて、その水滴を内部に貯留する。
【００３８】
特に、本実施形態では、枠柱２３に取り付けられた周壁形成用シート体２５が、底板２２と環状枠材２４との間に形成され収納空間２１を囲繞する円筒状の周壁を形成し、この周壁によって雨滴除去具１１及び水滴受容器１２の露出を防止している。
【００３９】
かかる構成により、機能部１０を収納する筒状枠体２０を備えた傘の雨滴除去装置１を商業施設に設置した場合には、機能部１０に傘を差し込むだけで布表面の雨滴を拭い去ることができ、エントランスホールにおける利用客のサービス向上を図ることができると共に、使用の際の待ち時間に周壁形成用シート体２５に施された広告用デザインを視認させることで、宣伝効果の大きい新たな広告収入源を得ることができるという効果が生起される。
【００４０】
ここで、周壁形成用シート体２５の枠柱２３への取り付け構造について、さらに具体的に説明する。
【００４１】
図３は、図２に示す筒状枠体２０の周壁形成用シート体２５を開放した態様を示す斜視図であり、図４は、図３に示す雨滴除去装置１の正面図であり、図５は、図４に示す雨滴除去装置１のＡ−Ａ断面図であり、図５（ａ）が周壁形成用シート体２５を開いた状態、図５（ｂ）が周壁形成用シート体２５を閉じた状態を示している。
【００４２】
枠柱２３は、図３〜図５に示すように、内側凹部２３ａを有する横断面視略コ字状に形成されており、この内側凹部２３ａ内に、ピン体３０を突設している。本実施形態では、内側凹部２３ａ内における枠柱２３の上端側及び下端側に、それぞれ１本ずつピン体３０を突設している。
【００４３】
また、周壁形成用シート体２５は、図２及び図３に示すように、可撓性を有する一対のシートである第１シート２６及び第２シート２７からなり、一対の枠柱２３、２３間に一対のシート２６，２７の左右の端部を連結可能に構成している。
【００４４】
具体的には、第１シート２６は、外観視で略矩形状を形成しており、その４隅に４つの連結孔２６ａ〜２６ｄをそれぞれ形成している。
【００４５】
そして、第１シート２６は、連結孔２６ａ〜２６ｄを枠柱２３におけるピン体３０に連通することにより、左右の端部を枠柱２３に連結する。これにより、第１シート２６は、収納空間２１の外方に向って膨出するように弾性変形して、底板２２と環状枠材２４との間に半円筒状の周壁を形成する。
【００４６】
一方、第２シート２７は、外観視で略矩形状を形成しており、左右の一端縁に枠柱２３に係脱自在とした係合部としての突起２７ａを有する一方、左右の他端縁側の隅に２つの連結孔２７ｂ，２７ｃ（２７ｃは図示せず）をそれぞれ形成している。
【００４７】
そして、第２シート２７は、連結孔２７ｂ，２７ｃを枠柱２３におけるピン体３０に連通する一方、図５（ｂ）に示すように、突起２７ａを枠柱２３の内側凹部２３ａに掛止することにより、左右の端部を枠柱２３に連結する。これにより、第２シート２７は、収納空間２１の外方に向って膨出するように弾性変形して、底板２２と環状枠材２４との間に半円筒状の周壁を形成する。
【００４８】
なお、本実施形態では、底板２２の上面に、一対の枠柱２３，２３の間を連結する円弧状のガイド板２２ａを設け、このガイド板２２ａを第１シート２６及び第２シート２７に当接させることにより、第１シート２６及び第２シート２７を半円筒状の周壁に形成し易いようにしている。
【００４９】
このように、本実施形態では、一対の枠柱２３，２３間に一対のシート２６，２７の左右の端部を連結して、一対の枠柱２３，２３間に２つの半円筒状の周壁を形成し、これら２つの半円筒状の周壁の左右端部を合せて、底板２２と環状枠材２４との間に１つの円筒状の周壁を形成するようにしている。
【００５０】
かかる構成により、広告に利用可能な周壁面の露出面積を可及的に広げることができるとともに、一対のシート２６，２７にそれぞれ施された２種類の広告用デザインを同時に掲示することができ、宣伝広告機能を向上することができる。
【００５１】
そして、特に、本実施形態では、一対のシート２６，２７のうち第２シート２７は、係合部としての突起２７ａを介して開閉自在に構成している。
【００５２】
すなわち、第２シート２７は、図５（ｂ）に示すように、枠柱２３における内側凹部２３ａに突起２７ａを掛止することにより、外部から視認できないように収納空間２１を閉塞する一方、図５（ａ）に示すように、枠柱２３における内側凹部２３ａから突起２７ａを離脱することにより、外部から視認できるように収納空間２１を開放するようにしている。
【００５３】
このように、本実施形態では、第２シート２７を突起２７ａを用いて開閉自在としていることにより、第２シート２７により収納空間２１を開放した場合には、筒状枠体２０の内部の収納空間２１を可及的に広い面積で開放することができる。したがって、収納空間２１に収納された雨滴除去具１１のメンテナンスや水滴受容器１２の交換などの作業を簡単に行うことができる。
【００５４】
しかも、第２シート２７を開放する際には、第２シート２７が可撓性を有するために、僅かに押すだけで変形して突起２７ａが枠柱２３から離脱するため、開放操作が容易である。
【００５５】
なお、本実施形態では、枠柱２３における内側凹部２３ａ内に、ピン体３０を突設しているが、このピン体３０は、その長さを少なくとも枠柱２３の側壁幅よりも短くしておくことが望ましい。このようにピン体３０を構成することにより、周壁形成用シート体２５に形成した連結孔２６ａ〜２６ｄ，２７ｂ，２７ｃをピン体３０に挿通したときに、枠柱２３の側壁で押圧される状態とすることで周壁形成用シート体２５を枠柱２３に対してしっかりと保持することができる。
【００５６】
また、本実施形態では、エントランス用備品のとして、雨滴除去具１１及び水滴受容器１２を収納空間２１に収納する筒状枠体２０を備えた傘の雨滴除去装置１を一例に挙げて説明したが、これに限らず、他のエントランス用備品に本発明を適用してもよい。
【００５７】
例えば、図６（ａ）に示すように、本発明に係るエントランス用備品を灰皿２に適用してもよい。この場合、雨滴除去具１１及び水滴受容器１２を具備する機能部１０に代えて、灰皿本体１１０が環状枠材２４に取り付けられる。
【００５８】
また、図６（ｂ）に示すように、本発明に係るエントランス用備品をゴミ箱３に適用してもよい。この場合、雨滴除去装置１から環状枠材２４から雨滴除去具１１及び水滴受容器１２を具備する機能部１０を取り除くことによりゴミ箱３を構成することができる。なお、このゴミ箱３を傘立てとして用いることもできる。
【００５９】
このように、本発明を種々のエントランス用備品に適用することによって、エントランスホールなどにおける広告用デザインの掲示態様を多様化することができ、広告宣伝効果を向上することができる。
【００６０】
以上本発明の好ましい実施の形態について説明したが、本発明はかかる特定の実施形態に限定されるものではなく、特許請求の範囲に記載された本発明の要旨の範囲内において、種々の変形・変更が可能である。
【図面の簡単な説明】
【００６１】
【図１】本実施形態に係るエントランス用備品としての傘の雨滴除去装置の全体構成を示す斜視図である。
【図２】図１に示す傘の雨滴除去装置の分解斜視図である。
【図３】図２に示す筒状枠体の周壁形成用シート体を開放した態様を示す斜視図である。
【図４】図３に示す雨滴除去装置の正面図である。
【図５】図４に示す雨滴除去装置１のＡ−Ａ断面図である。
【図６】本実施形態に係るエントランス用備品の変形例を示す説明図である。
【符号の説明】
【００６２】
１              雨滴除去装置
１０            機能部
１１            雨滴除去具
１２            水滴受容器
２０            筒状枠体
２１            収納空間
２２            底板
２３            枠柱
２３ａ          内側凹部
２４            環状枠材
２５            周壁形成用シート体
２６ａ〜２６ｄ  連結孔
２７ｂ，２７ｃ  連結孔
２７ａ          係合部（突起）
３０            ピン体
【図１】
2009264632.tif 000003
【図２】
2009264632.tif 000004
【図３】
2009264632.tif 000005
【図４】
2009264632.tif 000006
【図５】
2009264632.tif 000007
【図６】
2009264632.tif 000008